(57)【要約】【課題】使用中においても、包茎の包皮開口部にそれを押し広げる力をより好適に及ぼすことを可能にする、包茎矯正具を提供する。【解決手段】本発明の一態様に係る包茎矯正具１０は、包皮開口部への挿入用の第１フック１２及び第２フック１４と、該第１フックが設けられたシリンダー部材１６と、該シリンダー部材に対して相対移動可能に設けられて前記第２フックが設けられたピストン部材１８と、前記第１フックと前記第２フックとの間隔を広げる向きにシリンダー部材とピストン部材とに力を及ぼすように設けられる弾性体２０とを備える。【選択図】図１
2020010789.tif 000002
【特許請求の範囲】
【請求項１】
包茎の包皮開口部を内側から押し広げて矯正するための包茎矯正具であって、
前記包皮開口部への挿入用の第１係合部及び第２係合部と、
該第１係合部が設けられた第１部材と、
該第１部材に対して相対移動可能に設けられて、前記第２係合部が設けられた第２部材と、
前記第１係合部と前記第２係合部との間隔を広げる向きに前記第１部材と前記第２部材とに力を及ぼすように設けられる弾性体と
を備えた、包茎矯正具。
【請求項２】
前記第１部材はシリンダー部材として構成され、
前記第２部材は前記シリンダー部材内に少なくとも部分的に差し込まれるピストン部材として構成され、
前記シリンダー部材内には、前記弾性体を圧縮するように前記ピストン部材が差し込まれている、
請求項１に記載の包茎矯正具。
【請求項３】
前記第１部材及び前記第２部材のいずれか一方にはガイド部が形成され、
前記第１部材及び前記第２部材のいずれか他方には前記ガイド部に沿って移動可能な被ガイド部が形成されている、
請求項１又は２に記載の包茎矯正具。
【請求項４】
前記ガイド部には、前記被ガイド部の前記ガイド部からの意図しない逸脱を防ぐためのガイド逸脱防止機構が設けられている、請求項３に記載の包茎矯正具。
【請求項５】
前記第１係合部は前記第１部材に着脱自在に設けられ、
前記第２係合部は前記第２部材に着脱自在に設けられている、
請求項１から４のいずれか一項に記載の包茎矯正具。
【発明の詳細な説明】
【技術分野】
【０００１】
本発明は、包茎、特に、真性包茎を矯正するために使用する包茎矯正具に関する。
【背景技術】
【０００２】
亀頭全体が包皮で覆われて、勃起時にも亀頭が全く露出しない真性包茎は、余分な包皮を切除して包皮開口部を広げる整形外科手術によって矯正することができる。しかし、その手術費が著しく高額な上、術後の通院費や薬代も嵩み、金銭面での負担が大きいという問題があった。
【０００３】
また、包茎の手術に際しては、包皮を切りすぎたために、勃起時にその包皮が突っ張ったり、包皮の縫合箇所がケロイド状になるなど醜くなったり、あるいは包皮と共に性感帯の一部が切除されたり、性感伝達神経が傷つけられることにより射精不能になるなどのリスクを伴うことが知られている。そして、術後は２週間ほど痛みが続き、その間、包帯が取れないために入浴や放尿も困難になるという不自由な生活を包茎患者に強いることになる。さらに、包茎患者の中には、恥ずかしさのために手術を受けることができず、人知れず悩んでいる人も多い。
【０００４】
「こどもの包茎相談室」（非特許文献１）によれば、真性包茎は亀頭を包む包皮先端の包皮輪（包皮開口部）が小さいことが原因であり、「鉗子を用いて包皮輪を広げればその開口部から亀頭を露出させることができる」とされ、さらに、「専門医でなくても容易に取り扱うことのできる包茎矯正具が市販されることが望まれている」趣旨の記載がある。
【０００５】
また、「切ってはいけません!日本人が知らない包茎の真実」（非特許文献２）では、包皮の有用性を指摘した上で、包茎手術を否定する立場で、包皮輪を広げることによる真性包茎矯正を奨励している。非特許文献２の著者である泌尿器科医師は、実際に、鉗子で包皮輪を広げ真性包茎を矯正した実績が豊富であり、「真性包茎は手術の必要が無く、包皮輪を広げることで矯正できる」としている。
【０００６】
包茎の包皮開口部を押し広げるために考案された包茎矯正具としては、例えば、特許文献１に記載の包茎矯正具がある。特許文献１の包茎矯正具は、２本の柄でなるグリップをスプリングの弾撥力に抗して握り込むと、２つの顎が開いて両顎の先端に直角に設けた一対のブレードが互いに離反する方向に動くように構成されたペンチ状の器具である。この包茎矯正具では、その一対のブレードを真性包茎の包皮開口部に挿入してグリップを握り込むことにより、ラチェット機構によりブレードの距離が維持されるので、長時間にわたって連続使用しても手がだるくなったり疲れたりすることなく、多少痛さを感じる程度に効果的に張力を作用させて包皮開口部を押し広げることができる。
【０００７】
しかしながら、ペンチ状の器具は、どうしても大型で重くなるだけでなく、自ら使用する場合に、ブレードを手前に向けて、グリップをブレードの向こう側に位置させなければならないので、手首を折返してペンチを逆手で持つような使い勝手となり、極めて使い難い。また、手首が返っているのでラチェット操作が容易でないだけなく、ブレードの間隔を段階的にしか調整することができないので、包皮開口部を思い通りの力加減で押し広げることができない。さらに、グリップの開閉によりブレードが簡単に開閉するため、包皮開口部を伸ばしている最中にラチェットが外れるなど何かの拍子にグリップを開く方向の力が作用すると、ブレードが閉じてしまい、矯正作業が中断する結果になる。さらにまた、ペンチ状の器具は、個々の部品の形状が複雑で、製造コスト面で課題を有する。
【０００８】
このような点を改善するべく、包茎の包皮開口部を押し広げるために考案された包茎矯正具としては、例えば、特許文献２に記載の包茎矯正具がある。特許文献２の包茎矯正具は、一対のフィンガー部材と、これらのフィンガー部材の間隔を無段階で調整するためのねじ送り機構と、ねじ送り機構によりフィンガー部材の間隔が変化したときでもフィンガー部材を平行状態に維持するためのガイドロッドとを備える。各フィンガー部材の先端には、包茎の包皮開口部の拡大用にそこに差し込まれる球面フックが設けられている。したがって、特許文献２の包茎矯正具によれば、一対の球面フックを包茎の包皮開口部に差し込んだ状態で、ねじり送り機構を作動させることで、その包皮開口部にそこを広げるための力を作用させることができる。
【先行技術文献】
【非特許文献】
【０００９】
【非特許文献１】高橋剛著、「こどもの包茎相談室」、近代文芸社、２０００年１２月
【非特許文献２】石川英二著、「切ってはいけません!日本人が知らない包茎の真実」新潮社、２００５年９月２１日
【特許文献】
【００１０】
【特許文献１】特開２００４−１４１１８８号公報
【特許文献２】特開２００８−１４２１０７号公報
【発明の概要】
【発明が解決しようとする課題】
【００１１】
上記特許文献１の包茎矯正具では、使用者、具体的には包茎患者が、ブレードを包茎の包皮開口部に差し込んでグリップを握ることで、そこにある程度の力がかかった状態にブレードの間隔を維持することができ、よって、包茎の矯正が可能になる。同様に、上記特許文献２の包茎矯正具では、使用者が球面フックを包茎の包皮開口部に差し込んでねじ送り機構を作動させることで、そこにある程度の力がかかった状態に球面フックの間隔を維持することができ、よって、包茎の矯正が可能になる。しかし、それらの包茎矯正具では、その使用中に包皮が伸びることで、包皮開口部にそれを押し広げる向きに作用する力が減少してしまうので、包茎矯正効果の面では課題を有する。
【００１２】
そこで本発明は、包茎矯正具の使用中においても、その包皮開口部にそれを押し広げる力をより好適に及ぼすことを可能にする、包茎矯正具を提供することを目的とする。
【課題を解決するための手段】
【００１３】
上記目的を達成するために、本発明の一態様は、
包茎の包皮開口部を内側から押し広げて矯正するための包茎矯正具であって、
前記包皮開口部への挿入用の第１係合部及び第２係合部と、
該第１係合部が設けられた第１部材と、
該第１部材に対して相対移動可能に設けられて、前記第２係合部が設けられた第２部材と、
前記第１係合部と前記第２係合部との間隔を広げる向きに前記第１部材と前記第２部材とに力を及ぼすように設けられる弾性体と
を備えた、包茎矯正具
を提供する。
【００１４】
好ましくは、前記第１部材はシリンダー部材として構成され、前記第２部材は前記シリンダー部材内に少なくとも部分的に差し込まれるピストン部材として構成され、前記シリンダー部材内には、前記弾性体を圧縮するように前記ピストン部材が差し込まれている。
【００１５】
好ましくは、前前記第１部材及び前記第２部材のいずれか一方にはガイド部が形成され、前記第１部材及び前記第２部材のいずれか他方には前記ガイド部に沿って移動可能な被ガイド部が形成されている。
【００１６】
好ましくは、前記ガイド部には、前記被ガイド部の前記ガイド部からの意図しない逸脱を防ぐためのガイド逸脱防止機構が設けられている。
【００１７】
好ましくは、前記第１係合部は前記第１部材に着脱自在に設けられ、前記第２係合部は前記第２部材に着脱自在に設けられている。
【発明の効果】
【００１８】
本発明の一態様に係る上記包茎矯正具によれば、上記構成を備えるので、その使用中においても、その包皮開口部にそれを押し広げる力をより好適に及ぼすことが可能になる。
【図面の簡単な説明】
【００１９】
【図１】本発明の一実施形態に係る包茎矯正具の斜視図である。
【図２】図１の包茎矯正具を表した図であり、（ａ）はその正面図であり、（ｂ）はその上面図である。
【図３】図１の包茎矯正具の、図２のＩＩＩ−ＩＩＩ線断面図である。
【図４】図１の包茎矯正具における第１部材の、図３のＩＶ−ＩＶ線断面図である。
【図５】図１の包茎矯正具における第２部材の正面図である。
【図６】図１の包茎矯正具の圧縮時の一例を示した図である。
【発明を実施するための形態】
【００２０】
以下、本発明に係る実施形態を添付図に基づいて説明する。同一の部品（又は構成）には同一の符号を付してあり、それらの名称及び機能も同じである。したがって、それらについての詳細な説明は繰返さない。
【００２１】
本発明の一実施形態に係る包茎矯正具１０の斜視図を図１に示す。包茎矯正具１０の正面図及び上面図を、図２（ａ）、（ｂ）に示す。包茎矯正具１０は、第１及び第２フック１２、１４と、第１フック１２が設けられたシリンダー部材１６と、第２フック１４が設けられたピストン部材１８と、弾性体であるコイルばね２０とを備える。
【００２２】
第１フック１２及び第２フック１４は、包茎の包皮開口部（不図示）への挿入用の一対の係合部つまり第１及び第２係合部として構成されている。第１フック１２は、第２フック１４と同じ形状及び寸法を有している（図１及び図２参照）。なお、第１フック１２及び第２フック１４は、図１及び図２（及び図６）に示すような包茎矯正具１０の組み立て状態つまり使用状態において、包茎矯正具１０の中心軸線１０Ａの方向において対向するように、シリンダー部材１６及びピストン部材１８のそれぞれに設けられている。
【００２３】
シリンダー部材１６は、シリンダー形状、特にここでは略円筒形状を有し、中心軸線１６Ａを有する。シリンダー部材１６の第１端部１６ｂは有底につまり底部を有して構成され、軸線１６Ａの方向において第１端部１６ｂの反対側にあるその第２端部１６ｃは円形の開口部を区画形成する。したがって、シリンダー部材１６のシリンダー壁部（円筒壁部）１６ｄ内には第２端部１６ｃから上記ピストン部材１８の一部が挿入可能である。
【００２４】
ピストン部材１８は、略円柱形状を有し、中心軸線１８Ａを有する。ピストン部材１８は、その軸線１８Ａの方向に延びる壁部の両端部において閉じられていて、より具体的には軸線１８Ａに直角にそれぞれが延びる底部を有する。図１に示すように組み立てられた包茎矯正具１０において、ピストン部材１８の軸線１８Ａはシリンダー部材１６の軸線１６Ａつまり包茎矯正具１０の中心軸線１０Ａに概ね一致する。ピストン部材１８は、シリンダー壁部１６ｃ内に差し込み可能に形成されている差込部１８ｂと、差込部１８ｂよりも大径の保持部１８ｃとを備える。差込部１８ｂは、保持部１８ｃと、ピストン部材１８の軸線１８Ａに沿って並び、軸線１８Ａに関して同軸に一体的に形成されている。差込部１８ｂは、シリンダー部材１６のシリンダー壁部１６ｄ内にてその軸線１８Ａに沿って移動可能に、特に摺動可能に構成されている。具体的には、差込部１８ｂは、シリンダー壁部１６ｄの断面円形状に対応する断面円形状に形成されるとともに、シリンダー壁部１６ｄの内寸法よりもわずかに小さな外寸法を有するように形成されている。保持部１８ｃは、シリンダー部材１６のシリンダー壁部１６ｄの外寸法と同じ外寸法を有するように、かつここでは断面円形に形成されていて、シリンダー部材１６の第２端部１６ｃからシリンダー壁部１６ｄ内に差し込みできないようになっている。
【００２５】
シリンダー部材１６の第２端部１６ｃに、シリンダー壁部１６ｄの外周面から径方向外側に突き出るように、第１フック１２は一体的に設けられている。第１フック１２は、シリンダー壁部１６ｄにつながる根元部１２ａと、根元部１２ａの径方向外側につながる先端部１２ｂとを有している。先端部１２ｂは、根元部１２ａよりも太く形成されている。特にここでは先端部１２ｂは半球状に形成されている。なお、ここでは、シリンダー部材１６の第２端部１６ｃの端面１６ｃ´に滑らかにつながりかつ平行に延びる平面部１２ｃを、第１フック１２は有する。第２端部１６ｃの端面１６ｃ´は、軸線１６Ａに直角に延びる。平面部１２ｃは根元部１２ａから先端部１２ｂまで延びている。この平面部１２ｃを除いて、第１フック１２は概ね丸みを帯びた形状を有する。
【００２６】
ピストン部材１８の保持部１８ｃにおける、差込部１８ｂ側の端部に、第２フック１４は、保持部１８ｃの外周面から径方向外側に突き出るように、一体的に設けられている。上で述べたように、第２フック１４は第１フック１２と同じ形状及び寸法を有していて、第２フック１４は、上記根元部１２ａに対応する根元部１４ａと、先端部１２ｂに対応する先端部１４ｂと、これらにわたって延びて上記平面部１２ｃに対応する平面部１４ｃとを有する。なお、平面部１４ｃは、保持部１８ｃと差込部１８ｂとの間に径方向に延びる円盤状の平面部１８ｄに滑らかにかつそれに平行に延びる。平面部１８ｄは、軸線１８Ａに直角に延びる。
【００２７】
シリンダー部材１６内へのピストン部材１８の差込部１８ｂの差し込み及び引き抜き動作、つまりシリンダー部材１６内でのピストン部材１８の差込部１８ｂの相対移動をガイドするためのガイド部、特にここではガイド溝２４が、シリンダー壁部１６ｄの内面つまり内周面に形成されている。ガイド溝２４は、図２から図４に示されている。図４に示すように、ガイド溝２４は、第２端部１６ｃに開く導入部２４ａと、導入部２４ａから周方向に所定角度ずれた位置にあるガイド主部２４ｂと、それらをつなぐように周方向に延びる繋部２４ｃとを備える。導入部２４ａと、ガイド主部２４ｂとはそれぞれ、シリンダー部材１６の軸線１６Ａに平行に延びるように形成されている。
【００２８】
このガイド溝２４に沿って案内される被ガイド部としての突起部２６が、ピストン部材１８の外面つまり外周面に径方向に突き出すように、ピストン部材１８と一体的に設けられている（図２（ａ）及び図５参照）。突起部２６は、シリンダー部材１６に設けられたガイド溝２４に沿って案内されて移動できるように形成されている。ただし、ガイド溝２４には、閾値を超える力が加わっているときのみ、突起部２６が乗り越えられる部分２８が図４に示すように設けられている。部分２８は、ガイド溝２４の溝深さを浅くする隆起部として構成されていて、突起部２６のガイド溝２４からの意図しない逸脱を防ぐためのガイド逸脱防止機構として機能する。なお、部分２８は、ここでは導入部２４ａに設けられているが、他の箇所に設けられてもよく、つまりガイド主部２４ｂや繋部２４ｃに設けられてもよく、例えば繋部２４ｃにおけるガイド主部２４ｂ近傍の位置に設けられてもよい。
【００２９】
上記構成の包茎矯正具１０の組み立てについて説明する。まず、シリンダー部材１６のシリンダー壁部１６ｄ内にコイルばね２０が挿入される。そして、ピストン部材１８の突起部２６がシリンダー部材１６のガイド溝２４の導入部２４ａに位置合わせられて、ピストン部材１８の差込部１８ｂがシリンダー部材１６内に差し込まれる。この過程で、突起部２６は部分２８つまり隆起部２８を乗り越えることが可能になり、よって、シリンダー部材１６からのピストン部材１８の意図しない脱落を防ぐことが可能になる。
【００３０】
そして、突起部２６がガイド溝２４の導入部２４ａから繋部２４ｃに移動するように、ピストン部材１８はシリンダー部材１６に対してその周方向に相対的に動くように捩じられる。これにより、突起部２６はガイド溝２４のガイド主部２４ｂに到達できる。よって、ガイド主部２４ｂの軸線１６Ａの方向の長さの範囲で、シリンダー部材１６内でピストン部材１８は相対移動可能になる。
【００３１】
このように、シリンダー部材１６内に、ピストン部材１８の差込部１８ｂが差し込まれる過程で、コイルばね２０は圧縮される。このコイルばね２０の圧縮に伴う復元力により、シリンダー部材１６とピストン部材１８とには、第１フック１２と第２フック１４との間隔つまり対向間隔を広げる向きの力つまり付勢力が及ぼされるようになる。なお、図２に示す包茎矯正具１０では、コイルばね２０はある程度圧縮状態にある。
【００３２】
このようにして組み立てられた包茎矯正具１０の使用方法及び作用効果について説明する。まず、図６に示すように、シリンダー部材１６内へのピストン部材１８の差込部１８ｂの差込量を増して、包茎矯正具１０のその中心軸線１０Ａ方向の長さを圧縮するように、使用者はシリンダー部材１６に対してピストン部材１８を相対移動させる。図６では、包茎矯正具１０が最大限圧縮されたところを示し、この場合、第１フック１２は第２フック１４に当接する。
【００３３】
この状態で、使用者は、第１フック１２及び第２フック１４を包茎の包皮開口部に差し込み、それらの先端部１２ｂ、１４ｂが包皮開口部の内側にひっかかるようにする。そして、使用者は、包茎矯正具１０のその中心軸線１０Ａ方向の圧縮力を解放する。これにより、第１フック１２と第２フック１４との間隔を広げる向きの力つまり付勢力がコイルばね２０からシリンダー部材１６とピストン部材１８とに及ぼされる。よって、包茎矯正具１０の使用中、包茎の包皮開口部には、それを押し広げる向きの力が継続して作用するようになる。
【００３４】
したがって、本発明の一実施形態に係る包茎矯正具１０によれば、その使用中に、包茎の包皮が伸びたときでさえ、包皮開口部にそれを押し広げる向きにより好適な力を継続して及ぼし続けることができる。よって、包茎矯正の効果を一層高めることが可能になる。
【００３５】
また、図１、図２及び図６に示す使用状態の包茎矯正具１０では、ピストン部材１８における突起部２６が案内されるシリンダー部材１６におけるガイド溝２４のガイド主部２４ｂは、シリンダー部材１６の軸線１６Ａの方向に延びている。したがって、突起部２６がガイド溝２４のガイド主部２４ｂに案内される使用時、第１フック１２と第２フック１４とは、周方向において互いに対してずれることが防止されて対向状態に維持され、よってそれらの軸線１６Ａの方向の対向間隔が狭まったり広がったりすることが好適に可能になる。よって、包茎矯正具１０によれば、使用時に、コイルばね２０の力で、包皮開口部を好適に広げることが可能になる。
【００３６】
また、包茎矯正具１０は、簡易な上記構成を有するので、その製造コストを抑制することができる。更に、簡易な構成を有するにすぎないので、包茎矯正具１０は小型化に適する。例えば図６に示した状態になるので、包茎矯正具１０は携帯に便利であり、専用ケース等を用いることで更にそれらの利便性の点で優れる。また、上記包茎矯正具１０は、プラスチック樹脂や金属等の種々の材料で作製可能であり、その軽量化も小型化と相まって可能になる。したがって、包茎矯正具１０は、使用者が容易に携帯して、種々の場所で使用することを可能にする。例えば、一日に数回（例えば朝晩の２回）、各数十分（例えば３０分／回）、包茎矯正具１０を使用する場合、使用者はそれを携帯し、種々の場所で所望の時期にそれを使用することが可能になる。
【００３７】
以上、本発明の一実施形態に係る包茎矯正具１０を説明したが、本発明は上記実施形態に限定されない。例えば、上記包茎矯正具１０では、第１部材はシリンダー部材１６であり、第２部材はピストン部材１８であり、シリンダー部材１６内にピストン部材１８は入れ子状にされたが、それらの一方に他方が差し込まれなくてもよい。また、シリンダー部材１６内にピストン部材１８のほぼ全てが差し込み可能に、シリンダー部材１６及ピストン部材１８が構成されてもよい。
【００３８】
また、弾性体は、コイルばね２０であることに限定されず、円錐ばね、皿ばね、板ばねといった他のばねであってもよい。また複数のばねを組み合わせて、弾性体が構成されてもよい。あるいは、圧縮性流体を詰め込んだ袋体が弾性体として用いられてもよい。本発明においては、弾性体を構成するばねの種類、組み合わせ、大きさ等を任意に選択することで、そのばねの弾性力を任意に調節でき、よって包茎の包皮開口部の皮を伸ばす力を適度な力に調節することが可能になる。したがって、包茎矯正効果をより一層高めることが可能になる。
【００３９】
また、上記包茎矯正具１０では、第１フック１２が第１部材であるシリンダー部材１６に一体的に設けられ、第２フック１４は第２部材であるピストン部材１８に一体的に設けられた。しかし、それらのフックは、それが設けられる部材に着脱自在に設けられてもよい。例えば、大きさの異なる一対のフックのセットを複数用意し、包茎の包皮開口部の大きさに応じて、使用するフックを選択するようにしてもよい。この場合、フックは種々の既知の手段又は方法により、それが設けられる部材に取り付けや取り外しがなされ得る。例えば、フックの根元部は、ねじ等の機械的接続手段によりそれが設けられる部材に着脱自在に取り付けられることができる。また、包茎矯正具１０では、第１フック１２と第２フック１４との２つのフックが設けられたが、更に多くのフックが設けられてもよい。例えば、第１フック１２を設けたシリンダー部材１６に第３フックを更に設け、第２フック１４を設けたピストン部材１８に第４フックを更に設けてもよい。
【００４０】
また、上記実施形態では、シリンダー部材にガイド部つまりガイド溝２４が設けられて、ピストン部材に被ガイド部つまり突起部２６が設けられた。しかし、ピストン部材にガイド部が設けられて、シリンダー部材に被ガイド部が設けられてもよい。
【００４１】
以上、本発明の代表的な実施形態及び変形例について説明したが、本発明は種々の変更が可能である。本願の特許請求の範囲によって定義される本発明の精神及び範囲から逸脱しない限り、種々の置換、変更が可能である。
【符号の説明】
【００４２】
１０  包茎矯正具
１２  第１フック
１４  第２フック
１６  シリンダー部材
１８  ピストン部材
２０  コイルばね
【図１】
2020010789.tif 000003
【図２】
2020010789.tif 000004
【図３】
2020010789.tif 000005
【図４】
2020010789.tif 000006
【図５】
2020010789.tif 000007
【図６】
2020010789.tif 000008
【手続補正書】
【提出日】平成30年10月30日(2018.10.30)
【手続補正１】
【補正対象書類名】明細書
【補正対象項目名】００３３
【補正方法】変更
【補正の内容】
【００３３】
この状態で、使用者は、第１フック１２及び第２フック１４を包茎の包皮開口部に差し込み、それらの先端部１２ｂ、１４ｂが包皮開口部の内側にひっかかるようにする。そして、使用者は、包茎矯正具１０のその中心軸線１０Ａ方向の圧縮力を解放する。これにより、第１フック１２と第２フック１４との間隔を広げる向きの包茎の包皮開口部の皮を伸ばす力つまり付勢力がコイルばね２０からシリンダー部材１６とピストン部材１８とに及ぼされる。よって、包茎矯正具１０の使用中、包茎の包皮開口部には、それを押し広げる向きの包茎の包皮開口部の皮を伸ばす力が継続して作用するようになる。